(57)【要約】【課題】  プリンタのフォントを利用してレポートを作成し、印刷ことができる複合機を提供する。【解決手段】  コピー機能、ファクシミリ機能、スキャナ機能、プリンタ機能を拡張することができる複合機において、各機能の各種登録情報をレポート印刷する際に、プリンタ機能が拡張されていればプリンタ用のフォント６を選択して印刷する制御を行う制御手段１を備えた。【選択図】        図１
2006186918.tif 000002
【特許請求の範囲】
【請求項１】
少なくともプリンタ機能を有する画像形成装置において、所要の登録情報をレポート印刷する際に、プリンタ用フォントを選択して印刷する制御を行う制御手段を備えたことを特徴とする画像形成装置。
【請求項２】
少なくともプリンタ機能、ファクシミリ機能を有する画像形成装置において、ファクシミリ通信の結果をレポートとしてファクシミリ送信する際に、プリンタ用のフォントを選択してレポートを作成し送信する制御を行う制御手段を備えたことを特徴とする画像形成装置。
【発明の詳細な説明】
【技術分野】
【０００１】
本発明は、例えばコピー機能、ファクシミリ機能、スキャナ機能、プリンタ機能などを併せ持つ画像形成装置に関するものである。
【背景技術】
【０００２】
一般に、複合機とは機器内部の各種登録情報などをレポート印刷する機能や、ファクシミリ通信結果等をファクシミリでレポート送信する機能を有する画像形成装置の総称である。このような画像形成装置においては、レポート類は通常、操作表示部で文字を表示する際に使用されるフォントを使い、それを加工して文字を作成する。
フォントに関連して、例えば、特許文献１には、プリンタコントローラは外部からのデータ入力と、自身のフォントとを選択し印刷する画像形成装置が開示されている。また、例えば、特許文献２には、ファクシミリのレポートに際し、内部フォントと外部装置のフォントを選択できるようにする技術が開示されている。
【特許文献１】特開２００３−２６６８１９公報
【特許文献２】特開平９−０１８６１５号公報
【発明の開示】
【発明が解決しようとする課題】
【０００３】
上述したように、レポート類は、通常、操作表示部で文字を表示する際に使用されるフォントを使い、それを加工して文字を作成するが、操作表示部に表示する文字は液晶等のドットに合わせて作られており、印刷するにはドットが粗く、それを単純に加工してもきれいな文字は得られない。そして従来は、プリンタ機能が拡張されてきれいなフォントを持っていてもそれが使えないという不具合があった。
本発明は、プリンタのフォントを利用してレポートを作成し、印刷または送信することができる画像形成装置を提供することを目的とする。
【課題を解決するための手段】
【０００４】
上記目的を達成するために、請求項１記載の発明は、少なくともプリンタ機能を有する画像形成装置において、所要の登録情報をレポート印刷する際に、プリンタ用フォントを選択して印刷する制御を行う制御手段を備えた画像形成装置を特徴とする。
請求項２記載の発明は、少なくともプリンタ機能、ファクシミリ機能を有する画像形成装置において、ファクシミリ通信の結果をレポートとしてファクシミリ送信する際に、プリンタ用のフォントを選択してレポートを作成し送信する制御を行う制御手段を備えた画像形成装置を特徴とする。
【発明の効果】
【０００５】
本発明によればプリンタ用のフォントを選択して印刷する制御を行う制御手段を備えたので、プリンタのフォントを利用してレポートを作成し、印刷することができる。
また、ファクシミリ通信の結果をレポートとしてファクシミリ送信する際に、プリンタ用のフォントを選択してレポートを作成し送信する制御を行う制御手段を備えたので、プリンタのフォントを利用してレポートを作成し、送信することができる。
【発明を実施するための最良の形態】
【０００６】
以下、本発明の実施の形態を図面に従って説明する。
図１は本発明の第１の実施形態に係る複合機の機能ブロック図である。本複合機は、ＣＰＵ（メインＣＰＵ）１、ＲＯＭ２、ＲＡＭ３、符号化復号化部４、操作表示部５、プリンタ機能用のフォント６、ファクシミリユニット７を構成するモデム８及びＮＣＵ９、ＮＩＣ１０、スキャナ１１、プロッタ１２を備える。
本複合機は、インターネットファクシミリとしてＮＩＣ１０を通じてＬＡＮに接続される。操作表示部５には、コピー機能、ファクシミリ機能、スキャナ機能、プリンタ機能に対応するアプリケーションキーが増設される。各機能のプログラムは最初からＲＯＭ２の中に入っていてもよく、適切なユニットの増設を検知したら該当する機能が使えるような構成でもよい。
図２は本発明の第２の実施形態に係る複合機の機能ブロック図である。図１と同一個所には同一符号を付す。ファクシミリユニット（ＦＡＸユニット）７は、符号化復号化部４、ＮＣＵ９、ＣＰＵ２１、ＲＯＭ２２、ＲＡＭ２３、モデム２４を備える。
ここで、機器内部の各種登録情報などをレポート印刷する機能を挙げておく。
コピー／システム：カウンタ印刷、アドレス帳
ファクシミリ：設定一覧、通信管理レポート、送信結果レポート、ファイルリスト
スキャナ：設定一覧
プリンタ：設定一覧
上記のレポート類は、通常、操作表示部５で文字を表示する際に使用されるフォントを使い、それを加工して文字を作成する。しかし通常、操作表示部５に表示する文字は液晶等のドットに合わせて作られており、印刷するにはドットが粗く、それを単純に加工してもきれいな文字は得られない。
そこで、本実施の形態の図３のフローチャートに示すように、レポート印刷要求があった時（Ｓ１でＹ）、プリンタ機能が拡張されているかを判断し（Ｓ２）、拡張されていればプリンタのフォントを使って（Ｓ３）レポートの印刷イメージを作成（Ｓ５）する。一方、拡張されていなければ、操作表示部のフォントを使って（Ｓ４）、レポートの印刷イメージを作成（Ｓ５）する。その後、プロッタ１２にこの印刷イメージを渡して印刷する（Ｓ６）。
こうすることにより、プリンタ機能が拡張されている場合はプリンタのきれいなフォントでレポートも印刷可能となる。またこの時のレポートは、上記に挙げたどの機能のレポートでも同様に適用できる。
【０００７】
一方、図２に示す第２の実施形態の構成では、ファクシミリ関連のレポートはファクシミリユニット７が作成するが、ファクシミリユニット７はメインＣＰＵバス３１上にあるフォント６を直接利用することはできない。
そこで、図４に示すように、電源ＯＮでプリンタが拡張されていると判断した場合は（Ｓ１１でＹ）、ファクシミリユニット７の（フラッシュ）ＲＯＭ２２上に元々持っているフォントデータをメインＣＰＵバス３１上のフォント６に書き換える作業を行う（Ｓ１２〜Ｓ１４）。その後は、ファクシミリユニット７からのレポート印刷はＲＯＭ２２上のフォントを参照すれば、きれいなフォントでのレポート印刷が可能となる。
また、別の機能としてファクシミリの通信結果等をファクシミリレポート送信する機能がある。これは例えば、中継送信依頼を受けた局がその結果を中継依頼局に返送したり、自機のファクシミリ関連の各種設定内容をあらかじめ登録したサービス局に送信したり、インターネットファクシミリの送信結果を指定宛先に送信したりする場合である。
図５に示すように、レポート送信要求があった時（Ｓ２１でＹ）、プリンタ機能が拡張されているかを判断し（Ｓ２２）、拡張されていればプリンタのフォントを使って（Ｓ２３）レポートの送信イメージを作成する（Ｓ２５）。一方、拡張されていなければ、操作表示部のフォントを使って（Ｓ２４）レポートの送信イメージを作成する（Ｓ２５）。その後、送信イメージは符号化復号部４を通じて符号化され、且つモデム２４で変調され、ＮＣＵ９を通じて回線に送出される（Ｓ２６）。
【図面の簡単な説明】
【０００８】
【図１】本発明の第１の実施形態に係る複合機の機能ブロック図。
【図２】本発明の第２の実施形態に係る複合機の機能ブロック図。
【図３】本発明の複合機における第１の処理例を示すフローチャート。
【図４】本発明の複合機における第２の処理例を示すフローチャート。
【図５】本発明の複合機における第３の処理例を示すフローチャート。
【符号の説明】
【０００９】
１  ＣＰＵ（制御手段）
６  フォント
【図１】
2006186918.tif 000003
【図２】
2006186918.tif 000004
【図３】
2006186918.tif 000005
【図４】
2006186918.tif 000006
【図５】
2006186918.tif 000007